(57)【要約】【課題】  本考案は、裁縫を行うときに使用する縫い針、マチ針、糸通し、糸切ハサミ等を手首等の腕に取り付けたバンド部に備えておくことができる裁縫用アームバンドを提供する。【解決手段】  裁縫用アームバンド１０のバンド部１２は環状に形成され、腕収容部１４に手首Ｔに嵌めることができるようになっている。このバンド部１２の内部には環状に曲げられた帯状の薄い金属板１５が内蔵されている。この金属板１５の外周面には複数の円板状の磁石１６が固定されている。前記金属板１５及び磁石１６は布帛１８によってカバーされている。また、前記バンド部１２の中間部１２Ｃの外周面には針山２０が取り付けられている。さらに、前記バンド部１２の中間部１２Ｃの外周面で前記針山２０の近傍には糸通し２６が取り付けられている。【選択図】  図１
0003115304.tif 000002
【実用新案登録請求の範囲】
【請求項１】
腕に着脱可能に取り付けられるバンド部と、このバンド部に取り付けられた磁石と、前記バンド部に固定されると共に縫い針やマチ針を刺しておくことができる針山と、前記バンド部に固定されると共に縫い針の針穴に糸を通すことができる糸通しと、を有してなることを特徴とする裁縫用アームバンド。
【請求項２】
腕に着脱可能に取り付けられるバンド部と、このバンド部に取り付けられた磁石と、前記バンド部の中間部の外周面に固定されると共に縫い針やマチ針を刺しておくことができる針山と、前記バンド部の中間部の外周面に固定されると共に縫い針の針穴に糸を通すことができる糸通しと、を有してなることを特徴とする裁縫用アームバンド。
【請求項３】
腕に嵌められて着脱可能に取り付けられるバンド部と、このバンド部に内蔵されると共に環状に曲げられた板状の可撓性部材と、この可撓性部材に固定された複数の磁石と、前記バンド部の中間部の外周面に固定されると共に縫い針やマチ針を刺しておくことができる針山と、前記バンド部の中間部の外周面に固定されると共に縫い針の針穴に糸を通すことができる糸通しと、を有してなることを特徴とする裁縫用アームバンド。
【考案の詳細な説明】
【技術分野】
【０００１】
本考案は、裁縫をする場合に主に手首等の腕に取り付けて使用する裁縫用アームバンドに関する。
【背景技術】
【０００２】
裁縫をする時は縫い針、マチ針、糸、糸切ハサミ、糸通し等の裁縫道具を必要とするが、縫い針やマチ針は小さくて細いため紛失し易く、また、誤って踏んだりすると足等に怪我をするおそれがあるため、裁縫時には裁縫箱に入った針山に刺しておいて使用時に針山から抜いて使用している。
また、前記糸切ハサミや糸通しは裁縫箱に入れているので、糸切ハサミや糸通しを使用する場合はその都度、裁縫箱から糸切ハサミや糸通しを取り出して使用し、使用後は再び裁縫箱に一々戻しているため煩雑である。
さらに、糸切ハサミや糸通しは、小さいため裁縫箱に入れておかないと紛失し易く、紛失してしまうと紛失した糸切ハサミや糸通しを探し回る事態となり裁縫作業の効率が低下するという不具合がある。
【考案の開示】
【考案が解決しようとする課題】
【０００３】
本考案は、上記事実に鑑みなされたものであり裁縫を行うときに使用する縫い針、マチ針、糸通し、糸切ハサミ等を手首等の腕に取り付けたバンド部に備えておくことができる裁縫用アームバンドを提供するものである。
【課題を解決するための手段】
【０００４】
請求項１の考案は、腕に着脱可能に取り付けられるバンド部と、このバンド部に取り付けられた磁石と、前記バンド部に固定されると共に縫い針やマチ針を刺しておくことができる針山と、前記バンド部に固定されると共に縫い針の針穴に糸を通すことができる糸通しと、を有してなることを特徴としている。
請求項２の考案は、腕に着脱可能に取り付けられるバンド部と、このバンド部に取り付けられた磁石と、前記バンド部の中間部の外周面に固定されると共に縫い針やマチ針を刺しておくことができる針山と、前記バンド部の中間部の外周面に固定されると共に縫い針の針穴に糸を通すことができる糸通しと、を有してなることを特徴としている。
請求項３の考案は、腕に嵌められて着脱可能に取り付けられるバンド部と、このバンド部に内蔵されると共に環状に曲げられた板状の可撓性部材と、この可撓性部材に固定された複数の磁石と、前記バンド部の中間部の外周面に固定されると共に縫い針やマチ針を刺しておくことができる針山と、前記バンド部の中間部の外周面に固定されると共に縫い針の針穴に糸を通すことができる糸通しと、を有してなることを特徴としている。
【考案の効果】
【０００５】
本考案の裁縫用アームバンドは、手首等の腕に取り付けられるバンド部に縫い針、マチ針、糸通し、糸切ハサミ等を備えておくことができるので裁縫をする時に直ぐに縫い針、マチ針、糸通し、糸切ハサミ等を用意することができるので、円滑に裁縫を行うことができるという優れた効果を有する。
また、本考案の裁縫用アームバンドは、手首等の腕に取り付けられるバンド部に縫い針、マチ針、糸通し、糸切ハサミ等を備えているので縫い針、マチ針、糸通し、糸切ハサミ等を探し回る必要がなく、裁縫作業の効率が低下するのを防止できるという優れた効果を有する。
さらに、本考案の裁縫用アームバンドは、バンド部に磁石が設けられているので裁縫用アームバンドを畳や床等に近づけることにより、畳や床等に誤って落ちている縫い針、マチ針等を磁着させて誤って落ちた縫い針、マチ針等を円滑に回収することができるという優れた効果を有する。
【考案を実施するための最良の形態】
【０００６】
考案を実施するために最良の形態の例として以下のような実施例を示す。
【実施例１】
【０００７】
図１〜図３には本考案の裁縫用アームバンドの第１実施例が示されている。
図１及び図２に示されるように、裁縫用アームバンド１０のバンド部１２は環状に形成され、腕収容部１４に腕としての手首Ｔ（図２参照）に嵌めることができるようになっている。
図１に示されるように、このバンド部１２の内部には環状に曲げられた可撓性部材としての帯状の薄い金属板１５が内蔵されている。この金属板１５の外周面には複数の円板状の磁石１６が固定されている。前記金属板１５及び磁石１６は適宜素材で形成された布帛１８によってカバーされている。
また、前記バンド部１２の一端部１２Ａと他端部１２Ｂは互いに対向して形成されている。従って、前記バンド部１２の一端部１２Ａと他端部１２Ｂの間から腕収容部１４に手首Ｔを差し込めば図２に示されるように前記バンド部１２を手首Ｔにワンタッチで嵌めることができるようになっている。
図１に示されるように、前記バンド部１２の中間部１２Ｃの外周面には針山２０が取り付けられている。この針山２０は柔らかい材料が充填され、図２に示されるように針山２０に針２２やマチ針２４を刺すことができるようになっている。
図１に示されるように、前記バンド部１２の中間部１２Ｃの外周面で針山２０の近傍には糸通し２６が取り付けられている。この糸通し２６は平板部２６Ａに極めて細いピアノ線を菱形状に折り曲げて形成した糸通し本体部２６Ｂを取り付けて形成されている。この糸通し２６の糸通し本体部２６Ｂに糸（図示せず）を挿入して、糸通し本体部２６Ｂを縫い針２２の針穴に挿入することにより簡単に糸を縫い針２２の針穴に通すことができるようになっている。
また、上述したように前記バンド部１２には磁石１６が内蔵されているので図２に示されるように前記バンド部１２の外周面に糸切ハサミ２８を磁着することができるようになっている。
なお、この実施例では可撓性部材として帯状の薄い金属板１５を示したが可撓性部材は金属板１５に限定されるものではない。
【０００８】
第１実施例の裁縫用アームバンド１０の作用について説明する。
この裁縫用アームバンド１０を手首Ｔに取り付ける場合は、バンド部１２の一端部１２Ａと他端部１２Ｂの間に手首Ｔを対応させて手首Ｔをバンド部１２の腕収容部１４に入れることにより図２に示されるようにワンタッチで裁縫用アームバンド１０を手首Ｔに嵌めることができる。
この裁縫用アームバンド１０のバンド部１２には針山２０が固定されているので縫い針２２やマチ針２４を針山２０に刺しておくことができる。
また、裁縫用アームバンド１０のバンド部１２には磁石１６が内蔵されているので、バンド部１２に糸切ハサミ２８を磁着させておくことができる。
従って、裁縫時に縫い針２２、マチ針２４、糸切ハサミ２８が必要になった場合は手首Ｔに嵌められた裁縫用アームバンド１０に備えられている縫い針２２、マチ針２４、糸切ハサミ２８を使用することができ、縫い針２２、マチ針２４を使用しない場合は裁縫用アームバンド１０の針山２０に刺しておけばよいし、糸切ハサミ２８は裁縫用アームバンド１０のバンド部１２に磁着させておけばよい。しかも、前記糸通し２６も前記バンド部１２に固定されているので、裁縫箱から糸通しを取り出す手間を省くことができる。
このため、従来のように裁縫箱に入った針山から縫い針やマチ針を取ったり、裁縫箱に入れた糸通しや糸切ハサミを取り出したりする必要がないので煩雑でなくなる。
また、縫い針２２の針穴に糸を通す場合は裁縫用アームバンド１０のバンド部１２に固定されている糸通し２６を使用することができるので、年配者や糸通しが苦手な人には特に便利である。
さらに、縫い針２２、マチ針２４は手首Ｔに嵌められた裁縫用アームバンド１０のバンド部１２に固定された針山２０に刺されており、糸通し２６はバンド部１２に取り付けられており、糸切ハサミ２８はバンド部１２に磁着されているので縫い針２２、マチ針２４、糸通し２６、糸切ハサミ２８を探し回る必要がないので裁縫の効率が低下することを防止することができる。
なお、前記縫い針２２、マチ針２４を針山２０に刺さずに裁縫用アームバンド１０のバンド部１２に磁着させてもよいことは勿論である。
また、裁縫用アームバンド１０のバンド部１２には磁石１６が内蔵されているので裁縫用アームバンド１０を畳や床等に近づけることにより、畳や床等に誤って落ちている縫い針２２、マチ針２４等を磁着させて誤って落ちた縫い針２２、マチ針２４等を円滑に回収することができると共に危険防止も図ることができる。
【０００９】
なお、裁縫用アームバンド１０のバンド部１２には磁石１６が内蔵されているので、裁縫用アームバンド１０を使用しない時は図３に示されるように裁縫用アームバンド１０をミシンＭに磁着させて保管しておいてもよいし、あるいは裁縫用アームバンド１０を使用する時に裁縫用アームバンド１０をミシンＭに磁着させた状態で裁縫作業を行ってもよい。
【００１０】
図４には本考案の裁縫用アームバンドの第２実施例が示されている。なお、第１実施例の裁縫用アームバンド１０と同一の構成は同一の符号を用いてその説明を省略する。
図４に示されるように、この裁縫用アームバンド３０のバンド部３２は帯状の布で形成されている。
前記バンド部３２の外周面には板状の磁石３４が露出した状態で複数固定されている。従って、この磁石３４に直接糸切ハサミ２８を磁着できるようになっている。
前記バンド部３２の一端部３２Ａの内周面にはマジックテープ（登録商標）の雄部３６が設けられ、バンド部３２の他端部３２Ｂの外周面にはマジックテープ（登録商標）の雌部（図示せず）が設けられている。
従って、前記バンド部３２のマジックテープ（登録商標）の雄部３６とマジックテープ（登録商標）の雌部を係止することにより裁縫用アームバンド３０を手首Ｔにフィットした状態で巻き付けることができるようになっている。
なお、他の構成、作用、効果は第１実施例の裁縫用アームバンド１０と同一の構成であるので、説明を省略する。
【００１１】
なお、第１実施例では裁縫用アームバンド１０のバンド部１２の内部に可撓性の金属板１５を内蔵してワンタッチで手首Ｔに嵌めるようにしたが、第２実施例の裁縫用アームバンド１０のようにバンド部１２の一端部１２Ａと他端部１２Ｂにそれぞれマジックテープ（登録商標）を設けてバンド部１２を手首Ｔに巻き付けるようにして取り付けてもよいことは勿論である。
また、実施例の裁縫用アームバンド１０，３０においてはバンド部１２，３２に糸切ハサミ２８を磁着するようにしたが、前記バンド部１２，３２には糸切ハサミ２８だけでなく縫い針２２やマチ針２４を磁着するようにしてもよいことは勿論である。
なお、裁縫用アームバンドのバンド部に取り付けられる磁石の態様としては第１実施例の裁縫用アームバンド１０では可撓性部材としての帯状の薄い金属板１５の外周面に複数の円板状の磁石１６を固定し、第２実施例の裁縫用アームバンド３０ではバンド部３２の外周面には板状の磁石３４を露出した状態で複数固定した例を示したが、これに限定されるものではなく例えば磁石パウダーを練りこんだバンド部を用いたり、バンド部全体に磁性を帯びさせて磁石としてもよいことは勿論である。
【図面の簡単な説明】
【００１２】
【図１】第１実施例の裁縫用アームバンドの全体斜視図である。
【図２】第１実施例の裁縫用アームバンドの使用状態を示す全体斜視図である。
【図３】第１実施例の裁縫用アームバンドをミシンに磁着させた状態の斜視図である。
【図４】第２実施例の裁縫用アームバンドの全体斜視図である。
【符号の説明】
【００１３】
１０    裁縫用アームバンド
１２    バンド部
１４    腕収容部
１５    金属板
１６    磁石
１８    布帛
２０    針山
２２    縫い針
２４    マチ針
２６    糸通し
２８    糸切ハサミ
【図１】
0003115304.tif 000003
【図２】
0003115304.tif 000004
【図３】
0003115304.tif 000005
【図４】
0003115304.tif 000006